(57)【要約】【課題】種類の異なる複数のものを安価に製造することができる制御機器を提供する。【解決手段】制御機器１１は、内方側に空間が設けられているリアケース２３と、薄板状であって、リアケース２３の前側に配置され、制御情報を表示する表示部１５を含むフロントケース２２と、リアケース２３の後側に配置され、外部機器との接続を行なう複数の接続端子を含む端子台２４とを備える。リアケース２３は、フロントケース２２に対して、回転軸４４を回転中心として９０度回転させてフロントケース２２に取り付け可能である。また、端子台２４は、フロントケース２２に対して、回転軸４４を回転中心として９０度回転させてリアケース２３に取り付け可能である。【選択図】図２
2011192482.tif 000002
【特許請求の範囲】
【請求項１】
その外形形状が前後方向に延びる略四角柱状であり、内方側に空間が設けられているリアケースと、
前記リアケースの内方側の空間に収容される回路基板と、
薄板状であって、前記リアケースの前側に配置され、制御情報を表示する表示部を含むフロントケースと、
前記リアケースの後側に配置され、外部機器との接続を行なう複数の接続端子を含む端子台とを備え、
前記リアケースおよび前記端子台は、前記フロントケースに対して、前後方向に延びる回転軸を回転中心として方向性を有し、
前記リアケースは、前記フロントケースに対して、前後方向に延びる回転軸を回転中心として所定の角度回転させて前記フロントケースに取り付け可能であり、
前記端子台は、前記フロントケースに対して、前後方向に延びる回転軸を回転中心として所定の角度回転させて前記リアケースに取り付け可能である、制御機器。
【請求項２】
前記所定の角度は共に、９０度である、請求項１に記載の制御機器。
【請求項３】
前後方向から見た場合に、前記リアケースおよび前記端子台の外形形状は共に、略正方形状である、請求項１または２に記載の制御機器。
【請求項４】
前記回路基板は、前記フロントケースに対して、前後方向に延びる回転軸を中心として所定の角度回転させて前記フロントケースに取り付け可能である、請求項１〜３のいずれかに記載の制御機器。
【請求項５】
前記フロントケースおよび前記リアケースには、前記フロントケースに対して前記リアケースを回転させて取り付ける係合部が、それぞれ設けられている、請求項１〜４のいずれかに記載の制御機器。
【請求項６】
前記リアケースおよび前記端子台には、前記リアケースに対して前記端子台を回転させて取り付ける係合部が、それぞれ設けられている、請求項１〜５のいずれかに記載の制御機器。
【請求項７】
前記リアケースを構成する第一の面および前記第一の面に隣り合う第二の面には、開口が設けられており、
前記第一の面の開口の面積は、前記第二の面の開口の面積よりも大きい、請求項１〜６のいずれかに記載の制御機器。
【請求項８】
前記端子台の構成は、カードエッジタイプ、半田固定タイプ、およびピンタイプのうちのいずれかである、請求項１〜７のいずれかに記載の制御機器。
【発明の詳細な説明】
【技術分野】
【０００１】
この発明は、制御機器に関するものであり、特に、温度制御装置やタイマ、カウンタとして用いられる制御機器に関するものである。
【背景技術】
【０００２】
温度制御装置等に代表される一般的な制御機器に関する技術が、特開２００２−３２９９８０号公報（特許文献１）、および特開平１０−１６３６４１号公報（特許文献２）に開示されている。
【０００３】
特許文献１によると、パネル取り付け機器の端子カバー構造において、端子カバーの外形寸法をパネルカットに対応した機器本体の外形寸法に同じかもしくは小さくすることにより、パネル取付け機器の制御パネルへの取付けを容易にすることとしている。また、特許文献２によると、制御機器の端子台取り付け構造は、第１のケースの部品装着側に端子台装着部を設け、端子台装着部に端子脚を有する端子台を装着し、第１のケースの開放側に基板ユニットを装着して基板ユニットを端子台の端子脚に接続することとしている。こうすることにより、端子台の半田付け部におけるクラックの発生を防止したり、部品コストの低減を図ることとしている。
【先行技術文献】
【特許文献】
【０００４】
【特許文献１】特開２００２−３２９９８０号公報
【特許文献２】特開平１０−１６３６４１号公報
【発明の概要】
【発明が解決しようとする課題】
【０００５】
特許文献１等に代表される従来の制御機器については、例えば、用途や仕様に応じて、種々の制御機器が用いられる。具体的には、制御機器としての温度制御装置やタイマ、カウンタ等の用途に応じて、複数設けられる接続端子の配列等の異なるものやケースの側面に設けられる開口部の形状が異なるものが用いられる。ここで、用途に応じて各種各様に制御機器を製造することとなると、個別の金型設計等が必要となり、製造コストが非常に高くなる。
【０００６】
この発明の目的は、種類の異なる複数のものを安価に製造することができる制御機器を提供することである。
【課題を解決するための手段】
【０００７】
この発明に係る制御機器は、その外形形状が前後方向に延びる略四角柱状であり、内方側に空間が設けられているリアケースと、リアケースの内方側の空間に収容される回路基板と、薄板状であって、リアケースの前側に配置され、制御情報を表示する表示部を含むフロントケースと、リアケースの後側に配置され、外部機器との接続を行なう複数の接続端子を含む端子台とを備える。リアケースおよび端子台は、フロントケースに対して、前後方向に延びる回転軸を回転中心として方向性を有する。ここで、リアケースは、フロントケースに対して、前後方向に延びる回転軸を回転中心として所定の角度回転させてフロントケースに取り付け可能である。また、端子台は、フロントケースに対して、前後方向に延びる回転軸を回転中心として所定の角度回転させてリアケースに取り付け可能である。
【０００８】
このような構成の制御機器は、フロントケースに対して回転の方向性を有するリアケースを、所定の角度回転させてフロントケースに取り付けることができる。また、フロントケースに対して回転の方向性を有する端子台を、所定の角度回転させてリアケースに取り付けることができる。そうすると、要求に応じて、リアケースおよび端子台を回転させて各部材を取り付けて、複数の異なる種類の制御機器を製造することができる。すなわち、用途に応じた各種各様の制御機器をそれぞれ別個製造する必要はなくなる。したがって、種類の異なる複数のものを安価に製造することができる。
【０００９】
また、所定の角度は共に、９０度である。このように構成することにより、例えば、縦横方向に形状の異なるリアケースおよび端子台を適切に取り付けることができる。
【００１０】
さらに好ましくは、前後方向から見た場合に、リアケースおよび端子台の外形形状は共に、略正方形状である。こうすることにより、より確実に、リアケースおよび端子台を回転させて取り付けることができる。
【００１１】
さらに好ましくは、回路基板は、フロントケースに対して、前後方向に延びる回転軸を中心として所定の角度回転させてフロントケースに取り付け可能である。こうすることにより、さらに複数の異なる種類の制御機器を製造することができる。
【００１２】
ここで、フロントケースおよびリアケースには、フロントケースに対してリアケースを回転させて取り付ける係合部が、それぞれ設けられているよう構成してもよい。また、リアケースおよび端子台には、リアケースに対して端子台を回転させて取り付ける係合部が、それぞれ設けられているよう構成してもよい。
【００１３】
さらに好ましくは、リアケースを構成する第一の面および第一の面に隣り合う第二の面には、開口が設けられており、第一の面の開口の面積は、第二の面の開口の面積よりも大きい。このような構成の制御機器は、開口面積の大きい面を、より良好な通気性が要求される方向に配置することができる。そうすると、より要求に応じた制御機器を製造することができる。
【００１４】
さらに好ましい一実施形態として、端子台の構成は、カードエッジタイプ、半田固定タイプ、およびピンタイプのうちのいずれかである。
【発明の効果】
【００１５】
このような制御機器によると、フロントケースに対して回転の方向性を有するリアケースを、所定の角度回転させてフロントケースに取り付けることができる。また、フロントケースに対して回転の方向性を有する端子台を、所定の角度回転させてリアケースに取り付けることができる。そうすると、要求に応じて、リアケースおよび端子台を回転させて各部材を取り付けて、複数の異なる種類の制御機器を製造することができる。すなわち、用途に応じた各種各様の制御機器をそれぞれ別個製造する必要はなくなる。したがって、種類の異なる複数のものを安価に製造することができる。
【図面の簡単な説明】
【００１６】
【図１】この発明の一実施形態に係る制御機器の概略的な構成を示すブロック図である。
【図２】この発明の一実施形態に係る制御機器を分解して示す分解斜視図であり、端子台がカードエッジタイプのものである。
【図３】図２に示す制御機器に備えられるリアケースの斜視図である。
【図４】図２に示す制御機器に備えられるリアケースの側面図である。
【図５】図２に示す制御機器を組立てた状態を示す斜視図である。
【図６】図５に示す制御機器において、端子台およびリアケースの角度を９０度回転させた場合の斜視図である。
【図７】この発明の他の実施形態に係る制御機器の斜視図であり、端子台が半田固定タイプのものである。
【図８】図７に示す制御機器において、端子台およびリアケースの角度を９０度回転させた場合の斜視図である。
【図９】この発明のさらに他の実施形態に係る制御機器の斜視図であり、端子台がピンタイプのものである。
【発明を実施するための形態】
【００１７】
以下、この発明の実施の形態を、図面を参照して説明する。図１は、この発明の一実施形態に係る制御機器１１の概略的な構成を示すブロック図である。
【００１８】
図１を参照して、この発明の一実施形態に係る制御機器１１は、例えば、機械装置等の温度制御対象物１２における温度制御を行なう場合に用いられる。すなわち、制御機器１１はこの場合、温度制御装置として用いられる。制御機器１１における温度制御の一例について簡単に説明すると、まず、温度制御対象物１２に熱電対１３を取り付ける。取り付けられた熱電対１３により、温度制御対象物１２の温度を検知する。そして、後述する感温素子および回路基板等を用いて、接続端子の温度を基に温度補償を行う。最後に、温度補償後の温度データの表示等を行なう。
【００１９】
なお、制御機器１１は、例えば、ＰＩＤ（Ｐｒｏｐｏｒｔｉｏｎａｌ  Ｉｎｔｅｇｒａｌ  Ｄｉｆｆｅｒｅｎｔｉａｌ）制御を用い、測定した温度を基に、温度制御対象物１２付近に設けられたヒータ１４に供給する電源のオン、オフ等を行なって、温度制御対象物１２を設定された温度範囲内に調節する温度調節機構を備えることとしてもよい。
【００２０】
制御機器１１は、測定した温度を表示する表示部１５および設定温度や測定条件等を入力させる押しボタン等を備える操作部１６と、温度の補償等を行なう回路基板１７と、回路基板１７に電気を供給する電源１８と、温度制御対象物１２の温度を検知する熱電対１３に導線（図示せず）を介して接続される接続端子１９と、接続端子１９と回路基板１７とを接触させる接触部としての端子金具２０と、接続端子１９の温度を検知する感温素子２１とを備える。なお、後述する図２以下に示す実施形態においては、回路基板１７は、２つ設けられている。接続端子１９についても、複数設けられており、接続端子１９の数に応じて、端子金具２０も複数設けられている。
【００２１】
次に、この発明の一実施形態に係る制御機器１１の具体的な構成について説明する。図２は、この発明の一実施形態に係る制御機器１１を分解して示す分解斜視図である。図３は、図２に示す制御機器１１に備えられるリアケースの外観斜視図である。図４は、図２に示す制御機器１１に備えられるリアケースの側面図であり、図３中の矢印ＩＶの方向から見た場合を示す。図５は、図２に示す制御機器１１を組立てた状態を示す斜視図である。なお、理解の容易の観点から、図２における紙面左側を前側とし、紙面右側を後側とする。すなわち、図２〜図５中の矢印Ａ１で示す方向が、前側となる。そして、矢印Ａ１で示す方向またはその逆の方向が、前後方向である。なお、図２〜図５中の矢印Ａ２で示す方向またはその逆の方向を上下方向とし、図２、図３、図５中の矢印Ａ３で示す方向またはその逆の方向を左右方向とする。そして、図２における紙面上側を上方向とし、図２における紙面右側を右方向とする。
【００２２】
図１〜図５を参照して、この発明の一実施形態に係る制御機器１１は、略四角柱状である。この実施形態においては、前後方向に延びる形状である。制御機器１１は、フロントケース２２と、回路基板１７ａ、１７ｂ、３１と、回路基板１７ａ、１７ｂ、３１を収容するリアケース２３と、複数の接続端子１９および複数の端子金具２０を取り付ける端子台２４とを備える。なお、図２において、接続端子１９および端子金具２０の図示を省略している。
【００２３】
フロントケース２２は、薄板状である。また、前後方向から見た場合に、フロントケース２２の外形形状は、略正方形状である。フロントケース２２の前側となる面２５の上方側の領域に、表示部１５が配置され、フロントケース２２の前側となる面２５の下方側の領域に、操作部１６が配置される。表示部１５においては、測定した温度等の制御情報を、デジタル表示で表示する。操作部１６においては、調節する設定値等の情報を入力させる複数の押しボタンが設けられている。
【００２４】
２枚の回路基板１７ａ、１７ｂは、前後方向に沿うように平行に配置され、リアケース２３の内方側に収容される。回路基板１７ａ、１７ｂはそれぞれ間隔を空けて、回路基板３１に取り付けられている。回路基板３１は、薄板状であって、フロントケース２２と平行に配置される。回路基板１７ａは、前側に位置する辺部分を回路基板３１の裏面３２に取り付けるようにして固定される。回路基板１７ｂについても同様にして、回路基板３１に固定される。なお、前後方向から見た場合に、回路基板３１の外形形状についても、略正方形状である。
【００２５】
それぞれの回路基板１７ａ、１７ｂは、カードエッジタイプであり、回路基板１７ａ、１７ｂのそれぞれの後側の外方側領域に配置される端子金具２０との接触部３３において、金メッキが施されている。制御機器１１の組立て時においては、金メッキが施された接触部３３が、端子台２４に取り付けられる端子金具２０と接触する。
【００２６】
リアケース２３は、その外形形状が前後方向に延びる略四角柱状である。また、リアケース２３は、内方側に空間が設けられている構成である。具体的には、リアケース２３は、４枚の板状部材の辺をそれぞれ貼り合わせたような形状であって、筒状である。すなわち、リアケース２３は、前後方向にそれぞれ開口を有する。そして、筒状の内方側の空間において、回路基板１７ａ、１７ｂ、３１を収容する構成である。
【００２７】
また、前後方向から見た場合に、リアケース２３の外形形状は、略正方形状である。この実施形態においては、図３に示すリアケース２３の左右方向の長さ寸法Ｌ１と、図３に示すリアケース２３の上下方向の長さ寸法Ｌ２とは、等しく構成されている。
【００２８】
リアケース２３には、外形形状を構成する４つの面３６ａ、３６ｂ、３６ｃ、３６ｄにおいて、それぞれ外方側から内方側へ貫通する複数の通気孔３７が設けられている。通気孔３７の開口形状は種々あるが、大多数は矩形状であって、左右方向または上下方向に延びるように設けられている。リアケース２３に設けられた複数の通気孔３７により、制御機器１１において、回路基板１７ａ、１７ｂ等で発生した熱を外部に逃がすと共に、制御機器１１内の通気性を向上させることとしている。
【００２９】
ここで、４つの面３６ａ〜３６ｄにおいて、それぞれの面３６ａ〜３６ｄに設けられた複数の通気孔３７はそれぞれ異なるように構成されている。具体的には、例えば、図３において、上下方向に位置する第一の面としての面３６ａ、３６ｃについては、比較的通気孔３７の数が多く構成されており、図３において、左右方向に位置し、第一の面に隣り合う第二の面としての面３６ｂ、３６ｄについては、比較的通気孔３７の数が少なく構成されている。このような構成のリアケース２３においては、上下方向における通気性の方が、左右方向における通気性よりも良好である。
【００３０】
さらに、面３６ａ〜３６ｄにおいては、通気孔３７以外の貫通孔３８もそれぞれ設けられている。このような貫通孔３８は、回路基板１７ａ、１７ｂの一部を外部から視認するための視認性の向上等のために設けられている。それぞれの面３６ａ〜３６ｄに設けられた貫通孔３８の形状についても、それぞれ異なっている。すなわち、面３６ａ〜３６ｄにおいて、通気孔３７および貫通孔３８によって形成されるそれぞれの形状は、大きく異なる。
【００３１】
また、面３６ｂ、３６ｄのうちの開口部分を除いた領域の面積は、面３６ａ、３６ｃのうち、開口部分を除いた領域の面積よりも大きい。このような構成のリアケース２３においては、左右方向に配置される面３６ｂ、３６ｄの方が、上下方向に配置される面３６ａ、３６ｃよりも相対的に面積が大きくなるため、リアケース２３の特性等を表示するには、左右方向に配置される面３６ｂ、３６ｄを有効に活用することができる。特に、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ：国際電気標準会議）の規格による表示は、ある程度の面積を必要とする。したがって、例えば、面３６ｂのうち、図３中の点線で示す開口部分を避けた比較的広い領域３９ａ、３９ｂを、表示シールの貼付等に有効活用することができる。
【００３２】
また、リアケース２３は、前側部分の弾性変形を利用して、フロントケース２２とリアケース２３とを嵌合させるようにして取り付けることができる。
【００３３】
なお、リアケース２３には、端子台２４を取り付けるための係合部としての４つの後側係合孔４２が設けられている。後側係合孔４２については、各面３６ａ〜３６ｄのうち、リアケース２３において後側の開口を構成する各辺部分の中央に位置するように設けられている。すなわち、リアケース２３には、合計４つの後側係合孔４２が設けられている。
【００３４】
端子台２４については、上下方向に複数の接続端子１９および接続端子１９と回路基板１７ａ、１７ｂの一部とを接続させる複数の端子金具２０を配列させて配置可能な構成である。接続端子１９および端子金具２０は、上下方向に５つ連ねて、左右方向に２列となるように配置されている。
【００３５】
また、前後方向から見た場合に、端子台２４の外形形状は、略正方形状である。この実施形態においては、図２に示す端子台２４の左右方向の長さ寸法Ｌ３と、図２に示す端子台２４の上下方向の長さ寸法Ｌ４とは、等しく構成されている。なお、長さ寸法Ｌ３、Ｌ４長さ寸法Ｌ１、Ｌ２よりもやや短く構成されている。
【００３６】
端子台２４には、リアケース２３との取り付けの際に係合させる後側係合爪４３が設けられている。後側係合爪４３は、端子台２４のうち、左右方向に位置する辺の上下方向中央領域から後方側に突出し、さらに外方側に突出した形状である。すなわち、端子台２４には、１８０度対向した位置に合計２つの後側係合爪４３が設けられている。端子台２４に設けられた後側係合爪４３の弾性変形を利用して、後側係合孔４２と後側係合爪４３とを係合させることによって、リアケース２３と端子台２４とを嵌合させるようにして取り付けることができる。
【００３７】
ここで、リアケース２３は、フロントケース２２に対して、図２中の一点鎖線で示す前後方向に延びる仮想の回転軸４４を回転中心として、９０度回転させてフロントケース２２に取り付け可能な構成である。また、端子台２４は、フロントケース２２に対して、前後方向に延びる仮想の回転軸４４を回転中心として、９０度回転させてリアケース２３に取り付け可能な構成である。回転軸４４は、フロントケース２２の面２５において、その中央を通る仮想の軸である。
【００３８】
このように構成することにより、要求に応じて、リアケース２３および端子台２４を回転させて各部材を取り付けて、複数の異なる種類の制御機器１１を製造することができる。すなわち、用途に応じた各種各様の制御機器１１をそれぞれ別個製造する必要はなくなる。したがって、種類の異なる複数のものを安価に製造することができる。
【００３９】
これについて、具体的に説明すると、以下の通りである。すなわち、制御機器１１を温度制御装置として用いる場合、端子台２４については、接続端子が左右方向に５つ、上下方向に２列配列されているよりも、図２に示すように上下方向に５つ、左右方向に２列配列されている方が好ましい。これは、例えば、右側に配列される最下部の接続端子に、熱電対を接続し、その接続端子の温度を、右側に配置される回路基板１７ａに設けた感温素子によって検知する。そして、電源については、左側に配置される回路基板１７ｂに設けることとする。さらに、リアケース２３において、通気孔３７の数が多く設けられている面３６ａ、３６ｃを上下方向に配置し、面３６ｂ、３６ｄを左右方向に配置することにより、上下方向の通気性を良好とすることができる。こうすることにより、上方向に伝わりやすい電源からの熱を効率的に制御機器１１の外部に排出することができる。また、このような構成においては、感温素子により接続端子の温度を検知する際に、電源と感温素子とをできる限り遠ざけることができると共に、感温素子に対して上方向に伝わりやすい電源からの熱の影響を低減することができるからである。
【００４０】
一方、制御機器１１をカウンタとして用いる場合、感温素子は必要なく、外部装置と接続する接続端子の配置の関係から、端子台２４については、接続端子が左右方向に５つ、上下方向に２列配列されている方が好ましい場合が多い。また、上記したＩＥＣによる表示の視認性向上等の観点から、面３６ｂまたは面３６ｄが上方向に配置されていることが好ましい。このように、カウンタとして用いる場合においても、フロントケース２２に対して、リアケース２３および端子台２４を９０度回転させて取り付けることにより、図６に示す構成の制御機器を容易に製造することができる。すなわち、同一の部材を用いて、図５に示す構成の制御機器と、図６に示す構成の制御機器を製造することができる。
【００４１】
この場合、回路基板についても、フロントケース２２に対して、前後方向に延びる回転軸４４を中心として所定の角度回転させてフロントケース２２に取り付け可能であるため、さらに複数の異なる種類の制御機器を製造することができる。
【００４２】
なお、上記の実施の形態においては、端子台２４の構成は、カードエッジタイプとしたが、これに限らず、半田固定タイプやピンタイプのものも適用することができる。すなわち、端子台の構成は、カードエッジタイプ、半田固定タイプ、およびピンタイプのうちのいずれかであるよう構成してもよい。
【００４３】
図７および図８は、この発明の他の実施形態に係る制御機器の斜視図であり、端子台が半田固定タイプのものである。図７は、回転の方向性を有するリアケース４６、および半田固定タイプの端子台４７を取り付けた場合の制御機器４５の一例を示す斜視図である。図８は、図７に示す制御機器４５において、端子台４７およびリアケース４６の角度を９０度回転させた場合の斜視図である。また、図９は、この発明のさらに他の実施形態に係る制御機器４８の斜視図であり、端子台４９がピンタイプのものである。このような端子台のタイプにおいても、適用されるものである。
【００４４】
なお、上記の実施の形態において、リアケースについては、前後方向に長さの異なる複数のリアケースを準備し、必要に応じて、長さの適当なリアケースを選択し、これを用いて、制御機器を製造することにしてもよい。こうすることにより、より要求に応じて、複数の異なる種類の制御機器を製造することができる。さらに、孔の形状や大きさ、孔の数、複数の孔の配置等を変更したものを複数準備しておき、用途に応じて適切なリアケースの形状のものを採用して制御機器を製造することにしてもよい。
【００４５】
なお、上記の実施の形態においては、９０度回転させて取り付け可能な構成としたが、９０度に限られず、例えば、１８０度回転させて取り付け可能な構成としてもよいし、２７０度回転させて取り付け可能な構成としてもよい。
【００４６】
また、上記の実施の形態においては、回路基板も所定の角度回転させて取り付け可能な構成としたが、これに限らず、回路基板とフロントケースとを固定させることにしてもよい。
【００４７】
なお、上記の実施の形態において、フロントケース、リアケース、および端子台にそれぞれ設けられた係合部は、それぞれが係合できればよく、係合爪や係合孔を逆に設けるように構成してもよい。すなわち、リアケース側に係合爪を設け、フロントケースや端子台側に係合孔を設けることとしてもよい。さらに、辺部分の中央に設けることとしたが、これに限らず、回転させて取り付け可能な構成であれば、一方側の角に片寄った位置に設けることとしてもよい。
【００４８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４９】
この発明に係る制御機器は、用途や使用が多岐に亘る場合に、有効に利用される。
【符号の説明】
【００５０】
１１，４５，４８  制御機器、１２  温度制御対象物、１３  熱電対、１４  ヒータ、１５  表示部、１６  操作部、１７，１７ａ，１７ｂ，３１  回路基板、１８  電源、１９  接続端子、２０  端子金具、２１  感温素子、２２  フロントケース、２３，４６  リアケース、２４，４７，４９  端子台、２５，３２，３６ａ，３６ｂ，３６ｃ，３６ｄ  面、３３  接触部、３７  通気孔、３８  貫通孔、３９ａ，３９ｂ  領域、４２  後側係合孔、４３  後側係合爪、４４  回転軸。
【図１】
2011192482.tif 000003
【図２】
2011192482.tif 000004
【図３】
2011192482.tif 000005
【図４】
2011192482.tif 000006
【図５】
2011192482.tif 000007
【図６】
2011192482.tif 000008
【図７】
2011192482.tif 000009
【図８】
2011192482.tif 000010
【図９】
2011192482.tif 000011